(57)【要約】【課題】移動環境において、視聴したい番組を、効率的かつ安定に視聴することができる情報配信システムを提供すること。【解決手段】テレビ番組をサーバ装置３に録画するための条件を設定する条件設定手段１５と、サーバ装置３から配信された画像を蓄積する録画映像記憶部２２と、録画映像記憶部２２に記憶された録画映像を表示する表示部１７とを有する携帯電話機１と、携帯電話機１で条件設定された条件でテレビ番組を録画する録画番組蓄積部４３２と、テレビ番組表を蓄積する番組表データベース４３１と、録画番組蓄積部４３２に蓄積された録画画像をダウンロード配信する配信手段４４と、録画視聴履歴データベース４２１とを有するサーバ装置３とから構成され、ユーザが自由に移動する状況において、視聴したい番組を、効率的かつ安定に視聴することができる。【選択図】図４
2006060284.tif 000002
【特許請求の範囲】
【請求項１】
情報提供装置と前記情報提供装置から配信される情報を受信する携帯端末装置とを備え、前記携帯端末装置は、前記情報を前記情報提供装置に蓄積する条件を設定する条件設定手段と、前記設定された条件を前記情報提供装置に送信する送信手段と、前記情報提供装置から配信される前記情報を受信する第１の受信手段と、前記配信された情報を蓄積する第１の蓄積手段と、前記蓄積された情報を出力する出力手段とを有し、前記情報提供装置は、前記携帯端末装置から送信された前記設定された条件を受信する第２の受信手段と、前記設定された条件で前記情報を蓄積する第２の蓄積手段と、前記第２の蓄積手段に蓄積された前記情報を前記携帯端末装置にダウンロード配信する配信手段とを有することを特徴とする情報配信システム。
【請求項２】
前記条件設定手段は、テレビ情報の録画条件を設定する録画条件設定手段を有し、前記第２の蓄積手段は、前記録画条件設定手段で設定された条件に基づいて前記テレビ情報を録画する録画手段を有することを特徴とする請求項１記載の情報配信システム。
【請求項３】
前記録画手段は、前記テレビ情報の特徴を抽出する特徴抽出手段を有することを特徴とする請求項２記載の情報配信システム。
【請求項４】
前記テレビ情報は、前記テレビ情報の特徴を示す特徴情報を有し、前記録画手段は、前記特徴情報を記憶する特徴情報記憶手段を有することを特徴とする請求項２記載の情報配信システム。
【請求項５】
前記第２の蓄積手段は、前記情報提供装置とは異なる他の情報提供装置から送信される情報を前記条件設定手段で設定された条件で蓄積することを特徴とする請求項１記載の情報配信システム。
【請求項６】
前記第２の蓄積手段は、前記情報の特徴を抽出する特徴抽出手段を有することを特徴とする請求項５記載の情報配信システム。
【請求項７】
前記他の情報提供装置から送信される情報は画像の特徴を示す特徴情報を有する画像情報であって、前記蓄積手段は、前記特徴情報を記憶する特徴情報記憶手段を有することを特徴とする請求項５記載の情報配信システム。
【請求項８】
前記情報提供装置は、前記携帯端末装置の使用状況の履歴を記憶する履歴情報記憶手段を有することを特徴とする請求項１記載の情報配信システム。
【請求項９】
前記情報提供装置は、前記履歴情報記憶手段に記憶された前記履歴情報に基づいて操作者の必要とする前記情報を検索する検索手段を有することを特徴とする請求項８記載の情報配信システム。
【請求項１０】
情報提供装置と前記情報提供装置から配信される画像情報を受信する携帯端末装置とを備え、前記携帯端末装置は、前記画像情報を前記情報提供装置に蓄積する条件を設定する条件設定手段と、前記設定された条件を前記情報提供装置に送信する送信手段と、前記情報提供装置から配信される前記画像情報を受信する第１の受信手段と、前記配信された画像情報を蓄積する第１の蓄積手段と、前記蓄積された画像情報を出力する出力手段とを有し、前記情報提供装置は、前記携帯端末装置から送信された前記設定された条件を受信する第２の受信手段と、前記設定された条件で前記画像情報を蓄積する第２の蓄積手段と、前記第２の蓄積手段に蓄積された前記画像情報の特徴を抽出する特徴抽出手段と、前記特徴抽出手段で抽出された前記画像の特徴を前記携帯端末装置に配信する配信手段とを有することを特徴とする情報配信システム。
【請求項１１】
情報を蓄積し前記情報を配信する情報提供装置に対し、前記情報を蓄積する条件を設定する条件設定手段と、前記設定された条件を前記情報提供装置に送信する送信手段と、前記情報提供装置からダウンロード配信される前記情報を受信する受信手段と、前記配信された情報を蓄積する蓄積手段と、前記蓄積された情報を出力する出力手段とを有することを特徴とする携帯端末装置。
【請求項１２】
画像情報を蓄積し前記画像情報の特徴を抽出して配信する情報提供装置に対し、前記画像情報を蓄積する条件を設定する条件設定手段と、前記設定された条件を前記情報提供装置に送信する送信手段と、前記情報提供装置から配信される前記画像情報の特徴を受信する受信手段と、前記配信された画像情報の特徴を蓄積する蓄積手段と、前記蓄積された画像情報の特徴を出力する出力手段とを有することを特徴とする携帯端末装置。
【請求項１３】
情報を蓄積し前記情報を配信する情報提供装置に対し、前記情報を蓄積する条件を設定する条件設定手段と、前記設定された条件を前記情報提供装置に送信する送信手段と、前記情報提供装置から配信される前記情報を受信する受信手段と、前記配信された情報を蓄積する蓄積手段と、前記蓄積された前記情報の特徴を抽出する特徴抽出手段と、前記特徴抽出手段で抽出された前記情報の特徴を出力する出力手段とを有することを特徴とする携帯端末装置。
【請求項１４】
情報の蓄積条件を携帯端末装置から受信する受信手段と、前記受信した条件で前記情報を蓄積する蓄積手段と、前記蓄積手段に蓄積された前記情報を前記携帯端末装置にダウンロード配信する配信手段とを有することを特徴とする情報提供装置。
【請求項１５】
画像情報の蓄積条件を携帯端末装置から受信する受信手段と、前記受信した条件で前記画像情報を蓄積する蓄積手段と、前記蓄積手段に蓄積された前記画像情報の特徴を抽出する特徴抽出手段と、前記特徴抽出手段で抽出された前記画像情報の特徴を前記携帯端末装置に配信する配信手段とを有することを特徴とする情報提供装置。
【発明の詳細な説明】
【技術分野】
【０００１】
本発明は、携帯電話機などの携帯端末装置でテレビの録画画像などを視聴することのできる情報配信システムおよび携帯端末装置、情報提供装置に関する。
【背景技術】
【０００２】
最近では携帯電話機の普及に伴ってその機能拡大も目を見張るものがある。その一つとして、テレビを視聴することのできる携帯電話機がある。
【０００３】
テレビを視聴することのできる携帯電話機は、最近の液晶表示画面の高解像度化、テレビ映像信号のデジタル化、チューナ部品の高密度化などに伴って実現することができるようになり、自宅などの屋内にいなくても、歩行中でも車内などでも、いつでもどこでもテレビを視聴することができるようになった。
【０００４】
このようなテレビを視聴することのできる携帯電話機を用いたコンテンツ提供システムは、例えば特許文献１に開示されている。
【０００５】
特許文献１に開示された技術は、携帯電話機とインターネットを介して接続されるサーバ装置とを備え、サーバ装置がテレビ番組表を携帯電話機に配信し、ユーザは配信された番組表を参照してインターネットを介して所望のテレビ番組を録画予約し、予約されるとサーバ装置は予約されたテレビ番組を録画し、その後携帯電話機からの視聴要求に応じてサーバ装置は録画したテレビ番組を携帯電話機に所定のデータ形式に変換してストリーミング方式で配信するものである。
【特許文献１】特開２００３−３３９０４１号公報
【発明の開示】
【発明が解決しようとする課題】
【０００６】
しかしながら、携帯電話機でテレビ番組を予約録画しようとするユーザは、多忙な人であってテレビ番組を見る時間も少ない人が多く、自宅などの屋内にいなくても歩行中や車内でも、いつでもテレビを視聴することができたとしても、特許文献１に記載の技術では画像の配信がストリーミング方式で行われるため、トンネル内や地下街、あるいは圏外などの電波受信状態の悪いところでは、画像が乱れたり、ゴーストが生じたりして、やはり家庭内にいるのと同様の状態でテレビを試聴することは困難である。
【０００７】
また、画像の乱れなどなく安定した状態で録画画像を視聴できたとしても、時間のない人たちは、録画した番組のすべてを視聴する必要がない場合も多々ある。
【０００８】
さらに、時間のない人たちは、とりあえず、ニュースやスポーツといった所望のジャンルのテレビ番組を予約しておき、その後、空き時間に各番組の必要な部分だけを早送りや巻き戻しを自分の感に頼って見出して視聴したりする場合もあるが、人の感に頼るために適切な部分を視聴することができないことが多く、却ってそのために時間を要することがある。
【０００９】
しかし、特許文献１に記載された配信システムでは、地下街やトンネル内でない場所を探して安定な画像をストリーミング方式で配信できたとしても、依然上記のような全てを録画して視聴する際の問題が残っている。
【００１０】
本発明は、このような問題点に鑑みてなされたもので、トンネル内や地下街、あるいは
圏外などの電波受信状態の悪いところでも、家庭内と同様の安定した正常な画像を視聴することができる情報配信システムおよび携帯端末装置、情報提供装置を提供することを目的とする。
【００１１】
また、本発明は、録画した番組のすべてを一時に視聴しなくても、さらに必要な部分だけをピックアップして視聴することにできる情報配信システムおよび携帯端末装置、情報提供装置を提供することを目的とする。
【課題を解決するための手段】
【００１２】
本発明の情報配信システムは、情報提供装置と前記情報提供装置から配信される情報を受信する携帯端末装置とを備え、前記携帯端末装置は、前記情報を前記情報提供装置に蓄積する条件を設定する条件設定手段と、前記設定された条件を前記情報提供装置に送信する送信手段と、前記情報提供装置から配信される前記情報を受信する第１の受信手段と、前記配信された情報を蓄積する第１の蓄積手段と、前記蓄積された情報を出力する出力手段とを有し、前記情報提供装置は、前記携帯端末装置から送信された前記設定された条件を受信する第２の受信手段と、前記設定された条件で前記情報を蓄積する第２の蓄積手段と、前記第２の蓄積手段に蓄積された前記情報を前記携帯端末装置にダウンロード配信する配信手段とを有する構成を備えている。
【００１３】
この構成により、トンネル内や地下街、あるいは圏外などの電波受信状態の悪い環境を避けて、家庭内と同様の安定した正常な画像を配信することができる。
【００１４】
また、本発明の情報配信システムは、前記条件設定手段は、テレビ情報の録画条件を設定する録画条件設定手段を有し、前記第２の蓄積手段は、前記録画条件設定手段で設定された条件に基づいて前記テレビ情報を録画する録画手段を有する構成を備えている。
【００１５】
この構成により、トンネル内や地下街、あるいは圏外などの電波受信状態の悪い環境を避けて、家庭内と同様の安定した正常なテレビ画像を録画することができる。
【００１６】
また、本発明の情報配信システムは、前記録画手段は、前記テレビ情報の特徴を抽出する特徴抽出手段を有する構成を備えている。
【００１７】
この構成により、録画した番組のすべてを一時に視聴しなくても、必要な部分だけをピックアップして視聴することにできる
また、本発明の情報配信システムは、前記テレビ情報は、前記テレビ情報の特徴を示す特徴情報を有し、前記録画手段は、前記特徴情報を記憶する特徴情報記憶手段を有する構成を備えている。
【００１８】
この構成により、テレビ情報の画像の特徴を示す特徴情報により録画した番組の必要な部分だけをピックアップして視聴することができる。
【００１９】
また、本発明の情報配信システムは、前記第２の蓄積手段は、前記情報提供装置とは異なる他の情報提供装置から送信される情報を前記条件設定手段で設定された条件で蓄積する構成を備えている。
【００２０】
この構成により、テレビ放送とは異なる情報源から提供される各種情報を、所望の設定条件で蓄積することができる。
【００２１】
また、本発明の情報配信システムは、前記第２の蓄積手段は、前記情報の特徴を抽出する特徴抽出手段を有する構成を備えている。
【００２２】
この構成により、テレビ放送とは異なる情報源から提供される各種情報を、所望の設定条件で蓄積することができる。
【００２３】
また、本発明の情報配信システムは、前記他の情報提供装置から送信される情報は画像の特徴を示す特徴情報を有する画像情報であって、前記第２の蓄積手段は、前記特徴情報を記憶する特徴情報記憶手段を有する構成を備えている。
【００２４】
この構成により、テレビ放送とは異なる情報源から提供される各種情報の画像情報を、各画像情報の特徴情報を使って、所望の設定条件で蓄積することができる。
【００２５】
また、本発明の情報配信システムは、前記情報提供装置は、前記携帯端末装置の使用状況の履歴を記憶する履歴情報記憶手段を有する構成を備えている。
【００２６】
この構成により、ユーザの嗜好や興味に合わせた蓄積のための設定条件を提供できる。
【００２７】
また、本発明の情報配信システムは、前記情報提供装置は、前記履歴情報記憶手段に記憶された前記履歴情報に基づいてユーザの必要とする前記情報を検索する検索手段を有する構成を備えている。
【００２８】
この構成により、ユーザの嗜好や興味に合わせて、蓄積された情報を効率よくユーザに提供できる。
【００２９】
さらに、本発明の情報配信システムは、情報提供装置と前記情報提供装置から配信される画像情報を受信する携帯端末装置とを備え、前記携帯端末装置は、前記画像情報を前記情報提供装置に蓄積する条件を設定する条件設定手段と、前記設定された条件を前記情報提供装置に送信する送信手段と、前記情報提供装置から配信される前記画像情報を受信する第１の受信手段と、前記配信された画像情報を蓄積する第１の蓄積手段と、前記蓄積された画像情報を出力する出力手段とを有し、前記情報提供装置は、前記携帯端末装置から送信された前記設定された条件を受信する第２の受信手段と、前記設定された条件で前記画像情報を蓄積する第２の蓄積手段と、前記第２の蓄積手段に蓄積された前記画像情報の特徴を抽出する特徴抽出手段と、前記特徴抽出手段で抽出された前記画像の特徴を前記携帯端末装置に配信する配信手段とを有する構成を備えている。
【００３０】
この構成により、トンネル内や地下街、あるいは圏外などの電波受信状態の悪い環境を避けて、家庭内と同様の安定した正常な状態で、画像の特徴部分のみを配信することができる。
【００３１】
またさらに、本発明の携帯端末装置は、情報を蓄積し前記情報を配信する情報提供装置に対し、前記情報を蓄積する条件を設定する条件設定手段と、前記設定された条件を前記情報提供装置に送信する送信手段と、前記情報提供装置からダウンロード配信される前記情報を受信する受信手段と、前記配信された情報を蓄積する蓄積手段と、前記蓄積された情報を出力する出力手段とを有する構成を備えている。
【００３２】
この構成により、トンネル内や地下街、あるいは圏外などの電波受信状態の悪い環境を避けて、家庭内と同様の安定した正常な画像の配信を受けることができる。
【００３３】
またさらに、本発明の携帯端末装置は、画像情報を蓄積し前記画像情報の特徴を抽出して配信する情報提供装置に対し、前記画像情報を蓄積する条件を設定する条件設定手段と、前記設定された条件を前記情報提供装置に送信する送信手段と、前記情報提供装置から
配信される前記画像情報の特徴を受信する受信手段と、前記配信された画像情報の特徴を蓄積する蓄積手段と、前記蓄積された画像情報の特徴を出力する出力手段とを有する構成を備えている。
【００３４】
この構成により、トンネル内や地下街、あるいは圏外などの電波受信状態の悪い環境を避けて、家庭内と同様の安定した正常な状態で、画像の特徴部分のみの配信を受けることができる。
【００３５】
またさらに、本発明の携帯端末装置は、情報を蓄積し前記情報を配信する情報提供装置に対し、前記情報を蓄積する条件を設定する条件設定手段と、前記設定された条件を前記情報提供装置に送信する送信手段と、前記情報提供装置から配信される前記情報を受信する受信手段と、前記配信された情報を蓄積する蓄積手段と、前記蓄積された前記情報の特徴を抽出する特徴抽出手段と、前記特徴抽出手段で抽出された前記情報の特徴を出力する出力手段とを有する構成を備えている。
【００３６】
この構成により、トンネル内や地下街、あるいは圏外などの電波受信状態の悪い環境を避けて、家庭内と同様の安定した正常な状態で、画像の特徴部分を確認できる。
【００３７】
さらにまた、本発明の情報提供装置は、情報の蓄積条件を携帯端末装置から受信する受信手段と、前記受信した条件で前記情報を蓄積する蓄積手段と、前記蓄積手段に蓄積された前記情報を前記携帯端末装置にダウンロード配信する配信手段とを有する構成を備えている。
【００３８】
この構成により、トンネル内や地下街、あるいは圏外などの電波受信状態の悪い環境を避けて、家庭内と同様の安定した正常な画像の配信を行うことができる。
【００３９】
さらにまた、本発明の情報提供装置は、画像情報の蓄積条件を携帯端末装置から受信する受信手段と、前記受信した条件で前記画像情報を蓄積する蓄積手段と、前記蓄積手段に蓄積された前記画像情報の特徴を抽出する特徴抽出手段と、前記特徴抽出手段で抽出された前記画像情報の特徴を前記携帯端末装置に配信する配信手段とを有する構成を備えている。
【００４０】
この構成により、トンネル内や地下街、あるいは圏外などの電波受信状態の悪い環境を避けて、家庭内と同様の安定した正常な状態で、画像の特徴部分のみの配信を行うことができる。
【発明の効果】
【００４１】
本発明の情報配信システムは、情報提供装置と前記情報提供装置から配信される情報を受信する携帯端末装置とを備え、前記携帯端末装置は、前記情報を前記情報提供装置に蓄積する条件を設定する条件設定手段と、前記設定された条件を前記情報提供装置に送信する送信手段と、前記情報提供装置から配信される前記情報を受信する第１の受信手段と、前記配信された情報を蓄積する第１の蓄積手段と、前記蓄積された情報を出力する出力手段とを有し、前記情報提供装置は、前記携帯端末装置から送信された前記設定された条件を受信する第２の受信手段と、前記設定された条件で前記情報を蓄積する第２の蓄積手段と、前記第２の蓄積手段に蓄積された前記情報を前記携帯端末装置にダウンロード配信する配信手段とを有する構成を備えているので、トンネル内や地下街、あるいは圏外などの電波受信状態の悪い環境を避けて、家庭内と同様の安定した正常な画像を配信することができる。
【００４２】
さらに、本発明の情報配信システムは、情報提供装置と前記情報提供装置から配信され
る画像情報を受信する携帯端末装置とを備え、前記携帯端末装置は、前記画像情報を前記情報提供装置に蓄積する条件を設定する条件設定手段と、前記設定された条件を前記情報提供装置に送信する送信手段と、前記情報提供装置から配信される前記画像情報を受信する第１の受信手段と、前記配信された画像情報を蓄積する第１の蓄積手段と、前記蓄積された画像情報を出力する出力手段とを有し、前記情報提供装置は、前記携帯端末装置から送信された前記設定された条件を受信する第２の受信手段と、前記設定された条件で前記画像情報を蓄積する第２の蓄積手段と、前記第２の蓄積手段に蓄積された前記画像情報の特徴を抽出する特徴抽出手段と、前記特徴抽出手段で抽出された前記画像の特徴を前記携帯端末装置に配信する配信手段とを有する構成を備えているので、トンネル内や地下街、あるいは圏外などの電波受信状態の悪い環境を避けて、家庭内と同様の安定した正常な状態で、画像の特徴部分のみを配信することができる。
【００４３】
またさらに、本発明の携帯端末装置は、情報を蓄積し前記情報を配信する情報提供装置に対し、前記情報を蓄積する条件を設定する条件設定手段と、前記設定された条件を前記情報提供装置に送信する送信手段と、前記情報提供装置からダウンロード配信される前記情報を受信する受信手段と、前記配信された情報を蓄積する蓄積手段と、前記蓄積された情報を出力する出力手段とを有する構成を備えているので、トンネル内や地下街、あるいは圏外などの電波受信状態の悪い環境を避けて、家庭内と同様の安定した正常な画像の配信を受けることができる。
【００４４】
またさらに、本発明の携帯端末装置は、画像情報を蓄積し前記画像情報の特徴を抽出して配信する情報提供装置に対し、前記画像情報を蓄積する条件を設定する条件設定手段と、前記設定された条件を前記情報提供装置に送信する送信手段と、前記情報提供装置から配信される前記画像情報の特徴を受信する受信手段と、前記配信された画像情報の特徴を蓄積する蓄積手段と、前記蓄積された画像情報の特徴を出力する出力手段とを有する構成を備えているので、トンネル内や地下街、あるいは圏外などの電波受信状態の悪い環境を避けて、家庭内と同様の安定した正常な状態で、画像の特徴部分のみの配信を受けることができる。
【００４５】
またさらに、本発明の携帯端末装置は、情報を蓄積し前記情報を配信する情報提供装置に対し、前記情報を蓄積する条件を設定する条件設定手段と、前記設定された条件を前記情報提供装置に送信する送信手段と、前記情報提供装置から配信される前記情報を受信する受信手段と、前記配信された情報を蓄積する蓄積手段と、前記蓄積された前記情報の特徴を抽出する特徴抽出手段と、前記特徴抽出手段で抽出された前記情報の特徴を出力する出力手段とを有する構成を備えているので、トンネル内や地下街、あるいは圏外などの電波受信状態の悪い環境を避けて、家庭内と同様の安定した正常な状態で、画像の特徴部分を確認できる。
【００４６】
またさらに、本発明の情報提供装置は、情報の蓄積条件を携帯端末装置から受信する受信手段と、前記受信した条件で前記情報を蓄積する蓄積手段と、前記蓄積手段に蓄積された前記情報を前記携帯端末装置にダウンロード配信する配信手段とを有する構成を備えているので、トンネル内や地下街、あるいは圏外などの電波受信状態の悪い環境を避けて、家庭内と同様の安定した正常な画像の配信を行うことができる。
【００４７】
またさらに、本発明の情報提供装置は、画像情報の蓄積条件を携帯端末装置から受信する受信手段と、前記受信した条件で前記画像情報を蓄積する蓄積手段と、前記蓄積手段に蓄積された前記画像情報の特徴を抽出する特徴抽出手段と、前記特徴抽出手段で抽出された前記画像情報の特徴を前記携帯端末装置に配信する配信手段とを有する構成を備えているので、トンネル内や地下街、あるいは圏外などの電波受信状態の悪い環境を避けて、家庭内と同様の安定した正常な状態で、画像の特徴部分のみの配信を行うことができる。
【発明を実施するための最良の形態】
【００４８】
以下、本発明の情報配信システムおよび携帯端末装置、情報提供装置について、図面を参照して詳細に説明する。
【００４９】
（実施の形態）
図１は、本発明の一実施の形態における情報配信システムの概略構成を示すブロック図である。
【００５０】
本発明の一実施の形態における情報配信システムは、図１に示すように、ユーザが使用する携帯端末装置としての携帯電話機１と、通信業者５によってその運営が管理されるインターネットなどの移動体通信用のネットワーク２を介して携帯電話機１と接続される情報提供装置としてのサーバ装置３と、サーバ装置３で受信するテレビ番組を放送する放送番組供給業者４とから構成される。放送番組供給業者４は、テレビ番組を放送する放送事業者６とテレビ番組を制作する番組制作業者７とテレビ番組の作成費などを負担するスポンサー業者８とから構成されるが、一般的には放送事業者６とスポンサー業者８との間にこれらの仲介をする広告代理店９が介在することが多い。
【００５１】
また、サーバ装置３には、放送事業者６からテレビ番組が供給されるだけではなく、例えば、レコード会社や映画会社のような、音楽や画像に特化した単一種類の情報を有する業者である、関連ＣＨ（Ｃｏｎｔｅｎｔｓ  Ｈｏｌｄｅｒ）１０から音楽情報や画像情報が供給されることもある。
【００５２】
さらにまた、サーバ装置３には、インターネットプロバイダーのような各種情報を収集して供給する関連ＣＰ（Ｃｏｎｔｅｎｔｓ  Ｐｒｏｖｉｄｅｒ）１１から情報が供給されることもある。
【００５３】
すなわち、関連ＣＨ１０は、例えばジャズやクラシックなどの、あるいはミュージカル映画やサスペンス映画などの、ある種類の音楽情報や映画情報をサーバ装置３に提供し、関連ＣＰは、例えば、多くの関連ＣＨ１０からいろんなジャンルの音楽を収集して総合的なジャンルの音楽を供給したり、多種類の関連ＣＨ１０や放送事業者６からからいろんなジャンルの映像や過去放映された映像を収集していろいろなジャンルの映像をサーバ装置３に供給する。
【００５４】
また、ＣＨ１０は、これら映画情報や音楽情報に限らず、「テキスト」やクーポンの「バリュー」など、あらゆる情報をサーバ装置３に提供する。
【００５５】
図２は本実施の形態の携帯電話機１の詳細を示す構成図である。
【００５６】
図２において、携帯電話機１は、電話の音声を受け付けるマイク１２とマイク１２に発した音声をアンテナ１３を介して他の電話機へ送信するとともに、他の電話機から送信されてきた音声信号をアンテナ１３を介して受信してスピーカ１４で音声に変換する送受信部１５と、電話番号や携帯電話機の各機能の入力をしたり確認をしたりする入力部１６と、機能選択画面や電話番号、メール内容などを表示する表示部１７と、電話番号やメール内容、携帯電話機１の機器ＩＤ番号、録画映像情報などを記憶する記憶部１８と、これら各部を制御する制御部１９とを備えている。
【００５７】
さらに、後述するように、表示部１７にはテレビ番組の予約録画された映像の再生を操作できる画面が表示され、また録画したテレビ番組あるいは現在放送中のテレビ番組を視聴することもできる。入力部１６は、表示部１７に表示された機能選択画面である録画選
択画面や再生選択画面から録画や再生の選択をキー操作により指示できる。
【００５８】
また、記憶部１８は、電話番号やメール内容、あるいは携帯電話機１の認識番号や機器ＩＤ番号を記憶する一般情報記憶部２０と、携帯電話機１の使用開始日時、使用終了日時、あるいは電話、メール、テレビ受信、録画、再生などの携帯電話機１の使用の用途などのログ情報を記憶するログ情報記憶部２１と、録画した画像情報を一時記憶する録画映像記憶部２２と、テレビ予約録画に関する情報を記憶するテレビ予約情報記憶部２３とから構成されている。
【００５９】
図３は本実施の形態の携帯電話機１の入力部１６と表示部１７とを示す平面図で、入力部１６と表示部１７とがヒンジ部３１で回動自在に結合されている。
【００６０】
図３において、入力部１６にはマイク１２が設けられると共に、英数字、文字などの入力を行なうためのテンキー部３２と各種の機能を選択するための機能キー部３３と表示部１７のカーソルなどを上下左右に移動させるシフトキー部３４と各種機能の決定のための決定キー３５と携帯電話機１の通話キー３６、終話キー３７が設けられている。
【００６１】
また、表示部１７にはスピーカ１４が設けられると共に、液晶パネルからなる表示パネルが設けられ、表示パネルは、画像や録画機能を表示する主表示部３８と、画面を一つ分戻す機能を表示する「戻る」、画面で選択した情報を決定する機能を表示する「決定」、およびその他の機能を起動する「機能」などの各種共通機能を表示し、入力部１６の機能キー部３３や決定キー３５で選択される副表示部３９とが設けられている。
【００６２】
さらに、主表示部３８は、テレビ画像や録画した画像を表示する画像表示部３８１と、録画に関する機能、例えば録画を予約する機能選択画面を表示する「予約・録画」、視聴する機能選択画面を表示する「視聴」などを表示し、その部分をシフトキー部３４で選択し決定キー３５で決定することによって該当するその機能を選択する機能表示部３８２とから構成される。なお、画像表示部３８１を最大にしたいときは機能表示部３８２を表示させずにすることもできる。
【００６３】
図４は本実施の形態のサーバ装置３を示す詳細構成図である。
【００６４】
図４において、サーバ装置３は、ユーザ認証やユーザ認証登録を行なう認証手段４１と、予約番組のデータや視聴履歴など各種のユーザーデータを蓄積する個人データベース４２と、番組表や映像などの一般のデータを蓄積する共有データベース４３と、録画映像の配信に関する処理を行う配信手段４４と、録画映像を要約したり関連番組を検索して紹介したりする番組処理手段４５と、ユーザの好みの番組を紹介する推薦番組作成手段４６と、アンテナ４７を介してテレビ放送やテレビ番組表を受信したり、他の情報提供装置から情報を受信したりして、録画すべき映像信号を共有データベース４３に蓄積したり、また携帯電話機１と送受信したりする送受信手段４８と、テレビ番組の視聴率などを管理する視聴率管理手段４９と、これら各構成要素と携帯電話機１などとの間に介在して各構成要素を制御する制御手段５０とを備えている。
【００６５】
認証手段４１は、さらに、携帯電話機１に機器ＩＤやパスワードを発行したり、また個人データベース４２を開設したりするユーザ登録プログラム４１１と、サーバ装置３にアクセスした携帯電話機１や、携帯電話機１に固有の機器ＩＤから会員を判断したり、機密性の高いメモリーなどからアクセスした場合の認証を行なったりするユーザ認証プログラム４１２とを有する。
【００６６】
個人データベース４２は、携帯電話機１の使用開始日時、使用終了日時や、電話、メー
ル、テレビ受信、録画、再生などの携帯電話機１の使用目的や、番組に対するユーザの興味度などのユーザの視聴に関するデータ等を記憶する録画視聴履歴データベース４２１と、ユーザが自らの意思で登録したカテゴリやキーワード（出演者、番組名、映画のジャンル、スポーツの種類など）、および番組に対するユーザの興味度などから判断されるユーザの嗜好などに関する嗜好データベース４２２と、任意入力や推薦番組から選択されたユーザが録画すべき番組のリストなどの予約番組データベース４２３と、番組表と嗜好データベース４２２とからそれぞれのユーザに対して個別に自動的に作成された個別番組表４２４とを有している。
【００６７】
共有データベース４３は、電子番組表のデータを蓄積したり、各番組に関する各種タグ情報の保存、管理を行なったりする番組表データベース４３１と、全てのユーザの予約番組を録画し、必要に応じて配信、消去し、また各番組の各画像が有するタグ情報を記憶する録画番組蓄積部４３２とを有している。
【００６８】
配信手段４４は、事業者やユーザの要望に応じた画質や転送レートでストリーム配信を行なうストリーミング配信プログラム４４１と、コピープロテクトのある番組にも対応して録画映像の移動やダウンロード配信を行なうダウンロード配信プログラム４４２と、事業者やユーザの設定によって録画番組を自動的に配信する自動配信プログラム４４３と、配信時に端末機が良好に配信されているか、配信が中断されたかなどの配信状態を把握し、その状態に応じて配信を問題なく完了させる端末状況モニタリングプログラム４４４とを有している。
【００６９】
番組処理手段４５は、録画番組からその番組の画像や音声やタグ情報などに関する特徴量を自動抽出し、番組の要約を自動作成する要約プログラム４５１と、視聴中あるいは録画中の番組に類似する番組を、自分の録画番組から自動抽出し、続けて類似番組を視聴することができるなどの類似番組抽出プログラム４５２とを有している。
【００７０】
推薦番組作成手段４６は、嗜好データベース４２２と番組表データベース４３１とを比較し、各ユーザ毎に録画の可能性の高い番組を推薦し、ユーザは推薦された番組から必要な番組を選択できる推薦録画プログラム４６１と、嗜好データベース４２２と番組表データベース４３１と予約番組データベース４２３とを比較し、ユーザが見逃している可能性が高い番組があればメール配信やブラウザの自動起動などにより携帯電話機１に告知する視聴告知プログラム４６２とを有している。
【００７１】
送受信手段４８は、アンテナ４７に接続されるいわゆるチューナ（必要に応じて複数のチューナ）などのテレビ信号の受信に必要な機器が設けられたテレビ信号受信手段４８１と、関連ＣＨ１０や関連ＣＰ１１などの他の情報提供装置からネットワーク４８２を介して情報を受信するための提携コンテンツ受信手段４８３と、ネットワーク４８４を介して携帯電話機１と画像情報や各信号の送受信を行う携帯端末機送受信手段４８５とを有している。
【００７２】
視聴率管理手段４９は、許可を受けたユーザから、携帯電話機１で取得された放送番組、録画番組の視聴ログを定期的に収集、集計し、視聴の属性や録画番組の視聴時間や視聴場所などを分析する視聴率集計・管理サーバ４９１を有する。
【００７３】
このように構成された本実施の形態の情報配信システムの動作について、まず、通常の録画動作について、図５に示すフローチャートと図１〜図９を用いて説明する。
【００７４】
まず、携帯電話機１はテレビ画像を視聴したり録画を行ったりするときは、表示部１７には図３に示すような画面が表示されており、録画・予約キー３８２１をシフトキー部３
４で選択して決定キー３５で決定することによって携帯電話機１の機器ＩＤが制御部１９の制御によってサーバ装置３へ送られ、サーバ装置３のユーザ認証プログラム４１２によって携帯電話機１の認証が自動的に行われ、携帯電話機１からサーバ装置３へのクセスが開始される（Ｓ５０１）。
【００７５】
アクセスが開始されると、表示部１７の主表示部３８には図６に示す録画選択画面６００が現れ、録画の予約方法をシフトキー部３４を用いて選択する（Ｓ５０２）。
【００７６】
録画選択画面６００には、操作キー６０１〜６０５の選択キーがあり、操作キー６０１は録画開始時刻を入力することなくこのキーを押すことによって録画予約を直ちに開始するキー、操作キー６０２はＥＰＧを用いて録画予約を行なうキー、操作キー６０３はＧコードを用いて録画予約を行なうキー、操作キー６０４は入力部１６から録画開始及び終了時刻を入力して録画予約を行なうキー、操作キー６０５はサーバ装置３がユーザの嗜好に合わせて録画予約番組を推薦するキーを示している。
【００７７】
まず、以降の手順の異なる操作キー６０１が選択されたか否かを判断し（Ｓ５０８）、操作キー６０１が選択されず操作キー６０４を用いて録画予約を設定する場合は（Ｓ５０８のＮ）、Ｓ５０２で操作キー６０４を選択した後は主表示画面３８に「開始日時・時間」、「終了日時・時間」、「チャンネル」、「録画モード」などを選択する画面が現れ、テンキー部３２を用いてそれぞれ入力設定し（Ｓ５０３）、決定キー３５を押して録画予約設定を完了する（Ｓ５０４）。
【００７８】
録画予約設定が完了すると録画予約した番組を確認する番組情報確認画面が主表示画面３８に現れ、必要があれば「戻る」キーを機能キー部３３で選んで日時などの入力画面で修正し、最終的に録画番組を確認して番組を決定する（Ｓ５０５）。
【００７９】
決定された録画条件は、決定キー３５を押すことにより、送受信部１５、アンテナ１３を介してサーバ装置３の制御手段５０の制御によって、予約番組データベース４２３に記憶される。
【００８０】
その後は、設定した録画時刻になればサーバ装置３のテレビ信号受信手段４８で受信されたテレビ番組が録画番組蓄積部４３２に録画保存される（Ｓ５０６）。
【００８１】
次に、やはり操作キー６０１とは異なる操作キー６０２を用いてＥＰＧを利用して録画を設定する場合は、Ｓ５０２で操作キー６０４を選択した後、サーバ装置３の番組表データベース４３１からその日の所定の番組表が主表示画面３８に現れ、上下左右にシフトキー部３４を操作して、録画を希望する番組を選択することによって録画時間が自動的に設定され（Ｓ５０３）、決定キー３５を押して録画予約設定を完了する（Ｓ５０４）。
【００８２】
最終的に録画予約番組を確認して番組を決定し（Ｓ５０５）、録画条件を予約番組データベース４２３に記憶する。
【００８３】
その後は、設定した録画時刻になればサーバ装置３のテレビ信号受信手段４８で受信されたテレビ番組が録画番組蓄積部４３２に録画保存される（Ｓ５０６）。
【００８４】
操作キー６０３を用いてＧコードを利用して録画予約を設定する場合は、Ｓ５０２で操作キー６０３を選択した後は主表示画面３８にはＧコード入力画面が表れ、録画予約を希望する番組のＧコードをテンキー３２などによって入力することによって録画予約時間が自動的に設定され（Ｓ５０３）、決定キー３５を押して録画予約設定を完了する（Ｓ５０４）。
【００８５】
その後、最終的に録画予約番組を確認して番組を決定する（Ｓ５０５）。
【００８６】
その後は、所定の録画時刻になればサーバ装置３のテレビ信号受信手段４８で受信されたテレビ番組が録画番組蓄積部４３２に録画保存される（Ｓ５０６）。
ところで操作キー６０１を用いて録画を設定する場合は（Ｓ５０８のＹ）、Ｓ５０２で操作キー６０１を選択すると、図７に示すように、画像の保存場所の選択画面部７０１、例えば、サーバ装置３に外部録画するのか、携帯電話機１に内部録画するのかなどの選択画面が表れ、シフトキー部３４で録画場所を選択し、さらに標準画質で録画するか、低画質で録画するかなどの録画モード選択画面部７０２で録画モードを選択し、録画終了時刻設定部７０３で録画終了時間を、例えば「○○分後に終了」などと入力することにより（Ｓ５０７）、この場合は、他の場合と異なり、録画確認の画面は表れず、即座にサーバ装置３で録画が開始される（Ｓ５０６）。
【００８７】
このようにしていろいろな方法で録画されると、携帯電話機１のログ情報記憶部２１にはそれぞれの録画情報（録画チャンネル、録画設定時間、録画開始時間、録画終了時間、画像保存場所など）が蓄積される一方で、これらの情報が録画の都度あるいは定期的にサーバ装置３の録画視聴履歴データベース４２１に逐次蓄積される。
【００８８】
この蓄積されたデータを制御部５０の制御によって集計分析し、ユーザの好みの番組や録画の嗜好の方向を把握して嗜好データベース４２２に蓄積する。したがって、必要に応じて、推薦録画プログラム４６１を用いてその分析結果をユーザに提示すれば、ユーザは毎日あるいは好みの番組を毎回録画設定する必要がなくなる。
【００８９】
図８は携帯電話機１のログ情報記憶部２１またはサーバ装置３の録画視聴履歴データベース４２１に蓄積されるログテーブルの一例であって、各ユーザ毎に、ユーザＩＤ、録画設定日、録画チャンネル、録画開始時刻、録画終了時刻、保存場所、録画モード、録画番組のタイトル、配信の方法、録画番組のジャンル、録画番組のタグ情報など、各種の情報が保存される。
【００９０】
操作キー６０５は、このように録画視聴履歴データベース４２１に蓄積されたログ情報を収集分析することによって得た、各ユーザの好みの番組や嗜好に合わせた番組を、推薦録画プログラム４６１を用いて、まずユーザに提示することによって、ユーザにその提示内容から番組を選択させて録画予約設定をさせるものである。例えば、全録画回数のうちの７０％以上の録画回数を有する番組は必ず録画推薦番組として提示する。
【００９１】
Ｓ５０２で操作キー６０５を押すと、例えば、図９に示すように、主表示部３８に、例えば、ＩＤ番号が○○○のユーザは、毎日午後９時からはＡチャンネルのニュース番組を、午後１０時からはＢチャンネルの天気予報を、毎週金曜日の午後７時にはＣチャンネルのドラマＭを選択形式で推薦する。なお、土曜日か日曜日は必ずゴルフ番組を、また野球の●●チームの試合がある時はこれを優先して表示可能である。ユーザはこれらの推薦チャンネルの中からシフトキー部３４で希望する番組を選択し（Ｓ５０３）、決定キー３５で録画設定を完了する（Ｓ５０４）。
【００９２】
録画予約設定が完了すると録画予約した番組を確認する番組情報確認画面が現れ、必要があれば「戻る」キーを機能キーで選んで日時の入力画面で修正し、最終的に録画予約番組を確認して番組を決定する（Ｓ５０５）。
【００９３】
その後は、所定の録画時刻になればサーバ装置３のテレビ受信手段４８で受信されたテレビ番組が録画番組蓄積部４３２に録画保存される（Ｓ５０６）。
【００９４】
以上は録画設定について述べたが、次に上記のようにして録画された番組を視聴する場合の方法について述べる。
【００９５】
図１０は録画番組を視聴する際の動作を示すフローチャートである。
【００９６】
まず、録画の場合と同様にして、図３に示す機能表示部３８２の視聴キー３８２２を選択すると、サーバ装置３はユーザ認証プログラム４１２によって自動的に携帯電話機１の機器ＩＤ番号を認証し、表示部１７には、録画番組を一覧表示する視聴番組選択画面が現れる（Ｓ１００１）。
【００９７】
視聴番組選択画面１１１は、図１１に示すように、一つの番組について、番組名１１２、録画日１１３、録画チャンネル１１４、保存場所１１５、その番組を示す静止画１１６が、４〜５番組について、表示部１７の主表示部３８に同時に表示される。
【００９８】
この時、副表示部３９で「機能」キーを選択して後述する一括設定をしなければ（Ｓ１０１１のＮ）、図１１で表示された番組のうちから視聴を希望する番組を、シフトキー部３４によって選択してハイライトさせ、決定キー３５よって選択する（Ｓ１００２）と、選択した番組欄１２１が図１２に示すように少し拡大表示され、さらに録画時刻、データ容量、再生時間などが表示される。
【００９９】
録画時刻欄１２２には、開始時刻と終了時刻が、データ容量欄１２３には、ＭＢや時間の単位を用いて、再生時間欄１２４には再生に必要な時間が表示される。
【０１００】
次に、拡大された番組欄１２１を選択したまま決定キー３５を押すと、視聴したい番組をどの場所にダウンロード配信するかを選択する画面が現れる。すなわち、携帯電話機１の外部メモリか、携帯電話機１の内部メモリか、パソコンやテレビなどの他の装置の外部メモリかなどを選択する。
【０１０１】
この時、パソコンなどの他の装置の外部メモリに直接ダウンロードしないのであれば（Ｓ１０１２のＮ）、次に視聴方法を選択する（Ｓ１００３）。
【０１０２】
すなわち、主表示部３８に全画面表示をするか、番組の要約部分だけを再生するか、ダウンロードによって視聴するかストリーミングによって視聴するか、あるいはネットワークを介して視聴するならどのネットワーク（ＰＨＳか無線ＬＡＮかなど）を使用するかなど、視聴に関する方法、条件などを選択する。視聴方法の選択後は、視聴方法の確認画面が表れるので、修正が必要な場合は、入力部１６の機能キー部３３を用いて表示部１７の副操作部３９の「戻る」キーを選択し、視聴番組選択画面で再度視聴方法を選択する。
【０１０３】
決定キー３５を押していずれかの視聴方法の選択を完了すると（Ｓ１００４）、設定した保存場所へのダウンロードが開始され（Ｓ１００５）、また所望によりストリーミングでも直接視聴できる。
【０１０４】
ダウンロードでの画像の録画中は、表示部にダウンロード中であることの表示と配信中の場所と配信の残り時間、配信速度などを表示し、ダウンロードが完了すると完了画面が現れ、ダウンロードが終了する（Ｓ１００６）。
【０１０５】
ダウンロードで画像を携帯電話機１に保存する際は、携帯電話機１とサーバ装置３とが正常に接続されているか、あるいは断線が生じていないかを常にサーバ装置３の端末状況モニタリングプログラム４４４によってモニタし、断線などが生じていれば、一旦接続を
切って、接続が正常に戻ってから切断した箇所からサーバ装置３によって再度ダウンロードするようになっている。したがって、本実施の形態によって録画された画像は、地下街やトンネル内でのダウンロードであっても、より正確に常に安定した画像であって、家庭内で視聴するのと同様の画像が得られる。
【０１０６】
なお、端末状況モニタリングプログラム４４４がなくても、自動配信プログラム４４３によって、例えば夜間に配信するように設定しておけば、あるいはユーザからの指示によって適切な時期に配信指示をしても、安定した画像が得られるのは言うまでもない。
【０１０７】
Ｓ１０１２で、例えばテレビ受像機やパソコンに装着されるメモリカードのような、他の機器の外部メモリを選択した場合は、まず、外部メモリを選択した時点で、携帯電話機器１のビューアは、このテレビ受像機やパソコンなどのような外部機器からサーバ装置３にアクセスして認証を得ることができる認証プログラムを外部メモリに書き込む（Ｓ１００７）。
【０１０８】
その後は、上記プログラムがダウンロードされた外部メモリを、インターネットに接続されたパソコンなどの他の機器に装着し、このプログラムを起動させてサーバ装置３から、例えばパソコンに装着されたメモリカードに直接予約番組をダウンロードする（Ｓ１００５）。
【０１０９】
メモリカードにダウンロードされた録画番組はパソコンでも視聴できるし、携帯電話機に装着することによって携帯電話機の表示部でも視聴することができる。
【０１１０】
次に録画した番組を今すぐにダウンロードして視聴するのではなくて一旦どこかに保存しておき、必要な時間を見つけて後ほど一括で視聴したい場合は（Ｓ１０１１のＹ）、サーバ装置３側や通信媒体に余裕のあるときを選んでダウンロードできるようにする。そのために、Ｓ１００１で図１１の視聴番組選択画面１１１を表示している時に、入力部１６の機能キー部３３によって副表示部３９の「機能」キーを選択して通信媒体選択画面を表示させ、通信媒体を選択する（Ｓ１００８）。
【０１１１】
このように、一括で視聴する設定を選ぶと、次のように自動的にダウンロードする方法を選択する画面が表れる。
【０１１２】
例えば、無線ＬＡＮ、電灯線、ＨＳＤＰＡ（Ｈｉｇｈ  Ｓｐｅｅｄ  Ｐａｃｋｅｔ  ＤｏｗｎＬｉｎｋ  Ａｃｃｅｓｓ）など、使用したい通信媒体を一つまたは複数を選択すると、転送速度、転送時間、回線状況、回線利用料金などの選んだ通信媒体の状況が表示される（Ｓ１００９）。
【０１１３】
ユーザがこの表示を確認して通信方法の選択完了を行う（Ｓ１０１０）。その後、所定の時刻に所定の方法でダウンロードが開始する（Ｓ１００５）。
【０１１４】
なお、この例では多くの番組予約を一括してダウンロードする説明をしたが、特定の番組みのみダウンロードしても構わない。例えば、翌朝には必ず昨日のニュースを視聴したいと思えば、特定のニュース番組のみを就寝中にダウンロードしておき、他は休日前に一括して、あるいは必要に応じて個別にダウンロードするようにすることも可能である。
【０１１５】
また、一括してダウンロードするときは、番組によっては、要約部分だけをダウンロードすることも可能である。
【０１１６】
さらに、ダウンロードするタイミングを、例えば通信トラフィックが少ない深夜や早朝
の時間帯に設定したり、サーバ負荷とユーザニーズを考慮して番組終了後に複数のユーザに配信するように、サーバ装置３のダウンロード配信プログラム４４２を設定しておくことにより、状況に応じて、サーバ装置３、すなわち事業者のコントロールの下で配信を行うことができる。
【０１１７】
ところで、携帯電話機はテレビと異なり、画面が小さいので、表示パネルの主操作部３８でＥＰＧからチャンネルを選んだり、時系列的に配置された過去に録画した多くの番組から視聴したい番組を探し出したりするのは困難である。
【０１１８】
しかしながら、本発明では、録画情報が履歴としてサーバ装置３の録画視聴履歴データベース４２１に保存されているので、効率よくユーザの意向に沿った番組を提示することができる。
【０１１９】
図１３は録画視聴履歴データベース４２１のデータに基づいて作成された特定ユーザ用の録画番組表の例であって、図において、横軸は趣味や視聴履歴に合ったジャンルを例えば視聴回数の多い順に並べ、縦軸は趣味や視聴履歴に合った番組を視聴回数の多い順に並べてある。
【０１２０】
図１３に示す本実施の形態では、このユーザは、ジャンル別ではドラマの視聴履歴が一番多く、次に、ニュース、スポーツという順で趣味・嗜好が少なくなっていく。ジャンルのドラマに関しては、番組名「○○○」が一番多く、次に「○○△」、「○○×」と言う順に視聴する回数が減っている。ジャンルのニュースに関しては、「△△○」、「△△△」の順、ジャンルのスポーツに関しては、「××○」、「××△」、「×××」の順に少なくなっている。
【０１２１】
図１４は、図１３に示すような特定ユーザ用の録画番組表を作成する手順を示すフローチャートである。
【０１２２】
まず、図３に示す携帯電話機１の表示部１７の視聴キー３８２２をシフトキー部３４で選択して決定キー３５で決定することにより、携帯電話機１の機器ＩＤがサーバ装置３に送られ、サーバ装置３の認証プログラム４１２によって携帯電話機１の認証が自動的に行われ、携帯電話機１からサーバ装置３へのアクセスが開始される（Ｓ１４０１）。
【０１２３】
アクセスが開始されると、表示部１７の主表示部３８には図１１に示す、録画番組を一覧表示する視聴番組選択画面が表示される（Ｓ１４０２）。
【０１２４】
次に、表示部１７の副表示部３９の「機能」キーをシフトキー部３４で選び決定キー３５で決定することにより、主表示部３８に視聴番組表一覧が表示される（Ｓ１４０３）。
【０１２５】
この視聴番組表一覧は、サーバ装置３の個人データベース４２内のデータベースに基づいて、特定ユーザ向けに番組表にしてユーザに提供するものであって、例えば、「推薦録画番組表」や「推薦番組表」などが挙げられる。
【０１２６】
「推薦録画番組表」は、サーバ装置３の推薦録画番組表プログラム４６３の制御によって、個人データベース４２内のデータベースに基づいて、録画した番組をユーザが視聴するときにユーザが視聴したい番組を選択しやすいような番組表にして提示される。
【０１２７】
また、「推薦番組表」は、同様に、サーバ装置３の推薦番組表プログラム４６４の制御によって、個人データベース４２内のデータベースに基づいて、特定ユーザに対する録画の支援として、特定ユーザの好みや嗜好に合わせた番組表を番組が選択しやすいよう形で
提示される。
【０１２８】
次に、視聴番組表一覧から「推薦録画番組表」を選択すると（Ｓ１４０４）、サーバ装置３の推薦録画番組表プログラム４６３の制御によって、個人データベース４２内の録画視聴履歴データベース４２１および嗜好データベース４２２を参照して、嗜好性の高いジャンルと番組を抽出する（Ｓ１４０５）。
【０１２９】
例えば、録画された各番組に付されたジャンル情報やタグ情報の数をカウントして多い順に抽出し、一方で録画された番組名を多い順に抽出する。
【０１３０】
次に、嗜好性の高い、例えば録画回数の多い、ジャンル、番組を優先して表示する。その際に、タグ情報を用いて同じ番組はまとめて表示する（Ｓ１４０６）。すなわち、スクロールしながら、図１３に示す番組表を見ることができる。
【０１３１】
次に、上記番組表を見ながらシフトキー部３４で録画したい番組を選択し決定キー３５で決定し（Ｓ１４０７）、録画した番組のダウンロードが開始する（Ｓ１４０８）。
【０１３２】
ところで、Ｓ１４０３で、「推薦番組表」を選択すると、上記と同様な手順によって、特定ユーザに対して、嗜好に合わせた、例えば図１５に示す番組表が提案される。
【０１３３】
図１３の場合は、録画結果が表示されるので、例えばドラマ「○○○」が、一番志向性が高く、録画回数も一番多かったとしても、過去の全てが１週間分や１ヶ月分と、そろっているものではないが、図１５の場合は、今後に放送される番組の番組表であるので、１週間分や１ヶ月分はそのまままとまって表示される。
【０１３４】
このように各ユーザの録画番組を管理しておくことによって、例えば、携帯電話機のような限られた画面で効率的に番組を検索することができる。すなわち、例えば１週間の録画番組を検索する場合、その番組の数は例えば１００タイトル、２００時間に及ぶことにもなり、それが時系列に並べられてその中から自分の好みに合ったものを選択するのは非常に効率が悪い。したがって、このような場合、本実施の形態によれば、自分の趣味、嗜好を考慮した自分の好みに合ったジャンルや番組をまとめた配列から視聴したい番組を順次選択できるので、時系列的に表示される番組表から自分の好みのものを探して選択するよりも非常に効率的である。
【０１３５】
また、録画した番組を視聴しようとするとき、自分の使える時間に応じて視聴する番組を簡単に選択することができる。すなわち、図１３に示す本実施の形態の番組表によれば、まだ視聴していない好みの番組がどれだけ残っているかを即座に知ることができ、朝の食事時には昨日のニュースのダイジェストを視聴し、昼食後の空いた時間には３日分の英語レッスンをまとめて視聴し、帰宅後の時間のあるときには昨日のドラマと今日のスポーツをダイジェストで視聴するなど、自分の時間に合わせて容易に選択できる。
【０１３６】
同様にして、本実施の形態によれば、録画視聴履歴データベース４２１を備えることによって、例えば今から１週間後の録画を検討する場合に、推薦録画プログラム４６１の制御によって、自分の趣味、嗜好を考慮した嗜好データベース４２２に基づいて、番組表データベース４３１を検索し、ユーザが録画するであろう番組表を提供することができる。
【０１３７】
また、同様にして、いつもなら録画していたであろう番組が予約されていなかった場合、視聴告知プログラム４６２が働き、いつも録画している番組の時刻になれば、自動的に画面が立ち上がったり、録画番組の内容をメールで通知したりする。
【０１３８】
なお、視聴告知プログラム４６２は、ユーザの嗜好だけでなく、各ユーザ毎に個別に条件設定して起動することもできる。例えば、ユーザの実家のある地方の地震や台風などの災害情報や、ユーザのいる地域（例えば、渋谷や新宿など）での犯罪事件や犯人逃走などの犯罪情報などの非常事態情報をユーザの要求に応じて、自動的にユーザに通知することができる。
【０１３９】
そのためには、番組データベース４３１に記憶される、例えば、ＥＰＧの情報から、犯罪や災害にかかわるものをキーワードとして抽出するようにし、あるいはＥＰＧの情報から犯罪や災害に係わるタグ情報を抽出し、嗜好データベース４２２にこのような特定サービスを要求する特定ユーザを登録しておけばよい。
【０１４０】
さらに、本実施の形態では、各番組の中で、内容に応じて、類似番組抽出プログラム４６２を備えているので、ある番組やドラマからハイパーリンクで、類似ジャンル番組、同一出演者の番組などの、ユーザが興味あると思われる番組やドラマに容易に移動して視聴できる。
【０１４１】
すなわち、ドラマを視聴しているときに出演者を選択すればその出演者が出演している、あるいは過去出演した他の番組に移動したり、番組タイトル画面の所定部分を選択することにより同様の種類の番組に移動したり、ユーザの趣味、嗜好に合わせた他の番組に移動することができる。
【０１４２】
これも、番組表データベース４３１に記憶される、例えばＥＰＧの情報からキーワードを検索することによって可能である。
【０１４３】
ところで、ニュースやスポーツやドラマなどのテレビの番組で、所定の画面毎にタグ情報が付されている場合は、視聴の際にこのタグ情報を利用して効率的な視聴ができる。
【０１４４】
本実施の形態では、番組に関するタグ情報はサーバ装置３の番組表データベース４３１に番組表と共に蓄積されており、また画像に関するタグ情報は録画番組蓄積部４３２に蓄積されており、携帯電話機１からキーワードが入力されれば、要約プログラム４５１の制御によってそのキーワードに基づいて番組表データベース４３１および録画番組蓄積部４３２が検索され、キーワードをタグ情報として持つシーンが表示される。
【０１４５】
番組表データベース４３１に蓄積されたタグ情報の例としては、例えば、「ニュース」、「政治」、「経済」、「語学」、「ドラマ」、「映画」、出演者名「○×△□」、「野球」、「料理」などが挙げられる。また、録画番組蓄積部４３２に蓄積されるタグ情報の例としては、例えば、ニュース番組であれば、あるニュース「○○市で列車事故発生」の最初のタイトル画面、その事故の現場の画面、事故の被害者のインタビュー画面、その事故の鉄道会社幹部のインタビュー画面など、また例えばスポーツ番組であれば、ある野球試合「○×対×○」の最初のタイトル画面、各選手の紹介画面、ある選手のホームランの画面など、また例えばドラマ番組であれば、あるドラマ「○×△」のタイトル画面、各俳優が映し出される画面、アクションなど各シーンの画面、キャスト紹介画面など、それぞれ所定の画面ごとにタグ情報が付されているので、番組内容をタグ情報で即座に検索、抽出して番組概要を短時間で表示し確認することができる。
【０１４６】
例えば、事故のニュースを視聴したければ、「事故」、「列車事故」などをキーとして、政治のニュースを視聴したければ「△△党」、「××首相」、「○○選挙」などを、またスポーツであれば「△×選手」、「ホームラン」、「○○チーム」などをキーとして、各画像のシーンを抽出でき、またそれによって録画した全ての「事故」シーン、録画した全ての「○○選挙」シーン、録画した全ての「ホームラン」シーンを短時間で検索して視
聴することができるので、時間のない人には視聴したい情報のみを抽出して視聴することができるので好都合である。
【０１４７】
また、このような画面の抽出は、タグ情報を利用するだけでなく、映像シーンの変化を利用したり、タイトルなどの文字情報を翻訳したり、シーンの音声情報を音声認識したりすることによっても抽出することができる。
【０１４８】
また、このようにタグ情報などから各種のシーンを抽出して番組の概略を知ることができるが、その他に、本実施の形態では、抽出した各種シーンを用いて次のようにして番組の要約を知ることができる。
【０１４９】
すなわち、本実施の形態では、サーバ装置３の要約プログラム４５１がタグ情報、タイトル情報、映像シーンの変化以外に、特徴量の変化を用いて、録画番組から特徴量を自動抽出して、番組の要約を自動作成するので、短時間で番組の内容が確認でき、時間のない人には番組を全て見る必要がなく、やはり好都合である。
【０１５０】
また、ダウンロード配信するデータ量も、要約したり、必要な情報のみのダウンロードが可能なため、ダウンロードの時間や通信料金なども大幅に効率化できる。例えば大リーグ中継を録画したとき、日本人選手の打席シーンしか興味が無い時、数時間に及ぶ映像をダウンロードすることなく、必要なシーンだけを抽出し、ダウンロードすることで大幅にダウンロード時間や、コストの削減が望める。もちろん、サーバ装置３で要約した番組はストリーミング配信プログラム441により、ストリーミングで視聴することもできる。
【０１５１】
なお、このような特徴量の変化は、例えば、「日経エレクトロニクス  ２００４．６．２１  Ｎｏ．８７６“映像ナビ”  １０６頁〜１２７頁  日経ＢＰ社」に紹介されている方法で行うことができる。
【０１５２】
以上のように、本実施の形態においては、録画画像を視聴するときには、ダウンロードにより行なうので、多忙な人であってテレビ番組を視聴する時間も少ない人であったとしても、適切な時間に画像の配信が乱れることのないように、内部メモリやメモリカードなどの録画映像記憶部２２にダウンロードされた画像を視聴できるので、家庭内のテレビ受像機と同様の状態で視聴できる。
【０１５３】
また、本実施の形態では、ダウンロード配信された画像を視聴するものであるため、とりあえず、ニュースやスポーツといった所望のジャンルのテレビ番組を予約しておき、その後、空き時間に各番組の必要な部分、例えば、視聴したいシーン部分や要約シーン部分、だけをピックアップして視聴することができる。
【０１５４】
すなわち、本実施の形態によれば、本来なら受信状態が安定しないユーザが移動する環境において、ユーザの都合の良い時間に視聴したい番組を視聴することができ、しかも大量に録画した番組の中からダラダラと全て視聴しなくても必要に応じて要約だけを視聴することができ、さらに例えば夜間にダウンロードした安定な画像を視聴することができる。したがって、本発明によれば、移動環境において、視聴したい番組を、効率的かつ安定的に視聴することができる。
【０１５５】
なお、このように画像の特徴量の変化を利用して番組の要約を作成する方法は、先に説明した、類似番組抽出プログラム４５２や視聴告知プログラム４６２を起動するときにも利用できる。
【０１５６】
すなわち、例えば、タグ情報と特徴量の変化を利用して、ハイパーリンクによって、現
在視聴している出演者が出演していた過去の番組へ移動するときに、類似番組抽出プログラム４５２によって抽出された過去の番組の要約をすばやく短時間で確認できる。
【０１５７】
また、例えば、タグ情報と特徴量の変化を利用して、予約忘れの番組や犯罪情報や災害情報が、自動起動によって携帯電話機１に告知されたとき、その概要を短時間で知ることができる。
【０１５８】
さらに、上記実施の形態では、サーバ装置３が要約プログラム４５１を備え、情報の要約を携帯電話機１に配信したが、携帯電話機１がサーバ装置３と同様の要約プログラムを有していれば、携帯電話機１の録画映像記憶部２１にとりあえず全情報をダウンロード配信し、携帯電話機１で要約を視聴して確認後、必要に応じて録画映像記憶部２１から全情報を読み出して視聴することができ、サーバ装置３に要約プログラム４５１を備えている場合と同様な効果が得られる。
【０１５９】
例えば、携帯電話機１にダウンロードした野球試合の全ての中から、得点シーンでの視聴や、特定選手の打席での視聴、またホームランシーン、ファインプレーシーンなど様々な切り口での映像のみを、通信環境を気にせず、短時間に確認することができる。
【０１６０】
これまでの実施の形態では、テレビ番組の録画を中心に説明をしてきたが、最近ではコマーシャル（ＣＭ）に注目しているユーザも多く、ユーザによっては見たいＣＭを見たいときに見るユーザも増えてきている。
【０１６１】
本発明によれば、テレビ番組と同様にＣＭも録画し、またタグ情報などを使って大量に録画されたＣＭの中から見たいＣＭ番組を検索して見たいときに見ることが可能であるし、また、見たいＣＭを予約録画することも可能である。
【０１６２】
例えば、録画番組蓄積部４３２にテレビ番組の映像だけでなく、テレビ番組の間に放映されるＣＭ情報も蓄積しておく。その際、ＣＭ情報に付されているタグ情報も同時に蓄積しておく。このように、本実施の形態では、ＣＭ情報もタグ情報と共に蓄積できるので、テレビ番組視聴時にゆっくり内容を確認して視聴できなかったり、見逃したりしたＣＭ情報を、テレビ番組の終了後に、例えば同種のＣＭ情報をまとめたりなどして、効率的に視聴することができる。また、その時に、必要に応じてネット接続することで、テレビ番組を視聴中には視聴できなかったＣＭ情報の詳細情報を視聴することもできる。
【０１６３】
また、本実施の形態では、あるユーザが、ＣＭ情報を、携帯電話機１の内部記憶部である録画映像記憶部２２としての、着脱式のメモリカードなどに蓄積すれば、そのメモリカードを他のユーザに渡すことによって、あるいはメモリカードの内容をＥメールに添付するなどによって、そのＣＭ情報を他のユーザに伝達することができる。これによって、あるユーザが興味を持ったＣＭ情報を同じ興味を持つ他のユーザに伝えることができる。この際、ＣＭ情報を全て伝達するのでなく、ＣＭ情報のタグ情報のみを伝達することも可能である。
【０１６４】
ところで、放送事業者６が、ＣＭ視聴者に、ＣＤお試し楽曲の配信や映画予告編の配信や景品応募権の配信やＣＭ視聴者のみへの限定販売など、特別サービスをＣＭとして放映した場合は、本実施の形態では、録画映像記憶部２２にこれらのＣＭ情報が配信されているので、ユーザの時間に余裕のある時に、これらサービス情報をゆっくり視聴して所望のサービスを受けることが可能となる。
【０１６５】
また、本実施の形態では、録画視聴履歴データベース４２１や嗜好データベース４２２を有しているので、ユーザのＣＭ情報に対する興味や嗜好をも分析でき、したがって、ス
ポンサー業者８はサーバ装置３のユーザの嗜好に対する分析結果に基づいて、例えば１０代男性、１０代女性、３０代女性、４０代男性のような特定年代向けのユーザに対して、あるいは財テク、ＩＴ、車、スポーツなどの特定ジャンルに興味のあるユーザに対してのように、個別の視聴者に合わせてＣＭ情報を提供でき、効率的なＣＭ活動が行える。
【０１６６】
さらに、録画視聴履歴データベース４２１を上記よりも細かく分析することにより、ユーザの興味のあるジャンルだけでなく、ユーザの視聴時間、視聴場所も分析して、スポンサー業者８などのテレビ番組放送業者４は、全てのユーザに個別のＣＭ情報を提供できる。しかも、ユーザが意識しなくてもユーザが視聴する時間になれば自動的にビューアを起動してＣＭ情報を提供することができ、さらに効率的なＣＭ活動が行える。
【０１６７】
以上説明してきた本実施の形態によれば、サーバ装置３がダウンロード配信プログラム４４２と録画視聴履歴データベース４２１を有しているので、サーバ装置３は、自ら所有している視聴ログ、嗜好情報を活用し、放送事業者６、番組制作者７、関連ＣＨ１０、関連ＣＰ１１が保有するコンテンツの提供を受け、よりニーズの高いユーザへ効率的に推薦配信できるので、ユーザのみならず、サーバ装置３にとっても、放送事業者６、番組制作者７などにとっても効果が大きい。
【０１６８】
コンテンツがＣＭ情報であれば、やはりユーザのみならずスポンサー業者８や広告代理店９にとっても宣伝効果が大きい。
【０１６９】
さらに、サーバ装置３は、視聴率集計・管理サーバ４９１を録画視聴履歴データベース４２１と共に有しているので、サーバ装置３で収集、分析したきめ細かな視聴率データを放送事業者６、スポンサー業者８、広告代理店９などへ提供することができる。
【０１７０】
例えば、どのような年代の人が、どのような番組を、どのような場所で、どのような時間に、どのような方法で視聴するのか、またそれが各個人単位でも把握できる。
【０１７１】
したがって、各事業者は、今後の番組制作などの際に、よりユーザの興味のあるものを製作することができ、それぞれの立場にとって、すなわち、視聴の立場、番組制作の立場、広告宣伝の立場にとって、非常に有益なものである。
【産業上の利用可能性】
【０１７２】
本発明は、トンネル内や地下街、あるいは圏外などの電波受信状態の悪いところでは、録画したテレビ番組を視聴せず、また、録画した番組のすべてを一時に視聴しなくても、さらに必要な部分だけをピックアップして視聴することにできるので、テレビ番組やその他の映像、楽曲などの情報を蓄積して、携帯電話機や移動体情報端末機に配信する情報配信システムおよび携帯端末装置、情報提供装置に利用できる。
【図面の簡単な説明】
【０１７３】
【図１】本発明の一実施の形態における情報配信システムの概略構成図
【図２】本発明の一実施の形態における携帯電話機の構成図
【図３】本発明の一実施の形態における携帯電話機の平面図
【図４】本発明の一実施の形態におけるサーバ装置の構成図
【図５】本発明の一実施の形態における情報配信システムの録画動作を示すフローチャート
【図６】本発明の一実施の形態における携帯電話機の録画選択画面を示す構成図
【図７】本発明の一実施の形態における携帯電話機の保存場所選択画面を示す構成図
【図８】本発明の一実施の形態における携帯電話機のログテーブルを示す図
【図９】本発明の一実施の形態における携帯電話機の推薦番組表示画面を示す構成図
【図１０】本発明の一実施の形態における情報配信システムの視聴動作を示すフローチャート
【図１１】本発明の一実施の形態における携帯電話機の視聴選択画面を示す構成図
【図１２】本発明の一実施の形態における携帯電話機の他の視聴選択画面を示す構成図
【図１３】本発明の一実施の形態における情報配信システムの特定ユーザ向け録画番組表の概略構成図
【図１４】本発明の一実施の形態における情報配信システムの推薦録画番組表を作成する手順を示すフローチャート
【図１５】本発明の一実施の形態における情報配信システムの特定ユーザ向け番組表の概略構成図
【符号の説明】
【０１７４】
１    携帯電話機
２    ネットワーク
３    サーバ装置
４    放送番組供給業者
５    通信事業者
６    放送事業者
７    番組制作業者
８    スポンサー業者
９    広告代理店
１０    関連ＣＨ
１１    関連ＣＰ
１２    マイク
１３    アンテナ
１４    スピーカ
１５    送受信部
１６    入力部
１７    表示部
１８    記憶部
１９    制御部
２０    一般情報記憶部
２１    ログ情報記憶部
２２    録画情報記憶部
２３    テレビ予約情報記憶部
３１    ヒンジ部
３２    テンキー部
３３    機能キー部
３４    シフトキー部
３５    決定キー
３６    通話キー
３７    終話キー
３８    主表示部
３９    副表示部
４１    認定手段
４２    個人データベース
４３    共有データベース
４４    配信手段
４５    番組処理手段
４６    推薦番組作成手段
４８    送受信手段
４９    視聴率管理手段
５０    制御手段
１１１    視聴番組選択画面
３８１    画像表示部
３８２    機能表示部
４１１    ユーザ登録プログラム
４１２    ユーザ認証プログラム
４２１    録画視聴履歴データベース
４２２    嗜好データベース
４２３    予約番組データベース
４２４    個別番番組表
４３１    番組表データベース
４３２    録画番組蓄積部
４４１    ストリーミング配信プログラム
４４２    ダウンロード配信プログラム
４４３    自動配信プログラム
４４４    端末状況モニタリングプログラム
４５１    要約プログラム
４５２    類似番組抽出プログラム
４６１    推薦録画プログラム
４６２    視聴告知プログラム
４８１    テレビ信号受信手段
４８２、４８４    ネットワーク
４８３    提供コンテンツ受信手段
４８５    形態端末機送受信手段
４９１    視聴率集計・管理サーバ
６００    録画選択画面
６０１〜６０５    操作キー
３８２１    録画・予約キー
３８２２    視聴キー
【図１】
2006060284.tif 000003
【図２】
2006060284.tif 000004
【図３】
2006060284.tif 000005
【図４】
2006060284.tif 000006
【図５】
2006060284.tif 000007
【図６】
2006060284.tif 000008
【図７】
2006060284.tif 000009
【図８】
2006060284.tif 000010
【図９】
2006060284.tif 000011
【図１０】
2006060284.tif 000012
【図１１】
2006060284.tif 000013
【図１２】
2006060284.tif 000014
【図１３】
2006060284.tif 000015
【図１４】
2006060284.tif 000016
【図１５】
2006060284.tif 000017